(57)【要約】【課題】歩道脇や所定のゴミ集積所に集積されたゴミ収集袋入りのゴミがカラス等の小動物によって散乱するのを防止するために用いられるゴミカバー用ネットの非使用時に、該ネットの収納を利便かつ簡単に行うことができるゴミカバー用ネット収納装置を提供する。【解決手段】集積ゴミにかぶせるゴミカバー用ネット１０を収納するための装置であって、既設物又は自立可能な門型支柱２に取り付ける横板３の両端に支持板４、４を固設すると共に、これらの両側の支持板に回動自在に設けられた巻取用シャフト５の一端にハンドル６を固設する一方、シャフト５の周囲を隠蔽するカバー７、７が着脱自在に設けられ、シャフト５に結合したロープ８を介してネット１０を連結すると共に、ハンドル６の回動によってシャフト５にネット１０を巻き取りつつカバー７、７内に収容するようにした。【選択図】図５
2004051312.tif 000002
【特許請求の範囲】
【請求項１】
集積ゴミにかぶせるゴミカバー用ネットを収納するための装置であって、既設物又は自立可能な門型支柱に取り付ける横板の両端に支持板を固設すると共に、これらの両側の支持板に回動自在に設けられた巻取用シャフトの一端にハンドルを固設する一方、前記シャフトの周囲を隠蔽するカバーが着脱自在に設けられ、前記シャフトに結合したロープを介してネットを連結すると共に、前記ハンドルの回動によって前記シャフトに前記ネットを巻き取りつつ前記カバー内に収容するようにしたことを特徴とするゴミカバー用ネット収納装置。
【請求項２】
前記カバーは復元性を有するカバーであって、前記シャフトの周囲を包囲すると共に、下部を開放して前記シャフトに巻き取られるネットを通過可能としたことを特徴とする請求項１記載のゴミカバー用ネット収納装置。
【請求項３】
前記ゴミカバー用ネットの先端には引出用ロープが結合され、前記シャフトに前記ネットを巻き取った状態で前記ロープが前記カバーの下部開放口から垂れ下がり、このロープの端部を引き出すことによって前記ネットを使用状態に広げることができるようにしたことを特徴とする請求項１又は２記載のゴミカバー用ネット収納装置。
【発明の詳細な説明】
【０００１】
【発明の属する技術分野】
本発明は、歩道脇等のゴミ集積所に集積されたゴミ収集袋入りのゴミがカラス等の小動物によって散乱するのを防止するために用いられるゴミカバー用ネットの非使用時における収納を利便に行うゴミカバー用ネット収納装置に関する。
【０００２】
【従来の技術】
一般家庭のゴミは、所定のゴミ収集袋に収容して道路脇等のゴミ集積所に集積するようにしている。ところが、ゴミ収集車が到着するまでにカラスやネコ等の小動物がゴミ収集袋を破り、袋内のゴミが周辺に散乱するという問題が生じている。
【０００３】
特に、ゴミ集積所のゴミがカラスによって散乱するという被害は、都心部にカラスが増加するに従って被害件数も増大しつつある問題である。
【０００４】
このような被害を防止するために、集積したゴミ収集袋にゴミカバー用ネットをかぶせることによってゴミ収集袋の散乱を保護するようにしているが、このネットは非使用時に通行等の邪魔になるため、何らかの方法で撤去しておく必要がある。
【０００５】
ところが、従来は、撤去したゴミカバー用ネットを折り畳んでゴミ集積所の周辺に放置しておく以外に適当な方法がなく、交通の邪魔になったり、周辺の美観を損なうという問題を生じていた。
【０００６】
【発明が解決しようとする課題】
本発明はこのような事情に鑑みてなされたもので、歩道脇や所定のゴミ集積所に集積されたゴミ収集袋入りのゴミがカラス等の小動物によって散乱するのを防止するために用いられるゴミカバー用ネットの非使用時に、該ネットの収納を利便かつ簡単に行うことができるゴミカバー用ネット収納装置を提供することを目的とする。
【０００７】
【課題を解決するための手段】
上記の問題点を解消するために、本発明における請求項１のゴミカバー用ネット収納装置は、集積ゴミにかぶせるゴミカバー用ネットを収納するための装置であって、既設物又は自立可能な門型支柱に取り付ける横板の両端に支持板を固設すると共に、これらの両側の支持板に回動自在に設けられた巻取用シャフトの一端にハンドルを固設する一方、前記シャフトの周部を隠蔽するカバーが着脱自在に設けられ、前記シャフトに結合したロープを介してネットを連結すると共に、前記ハンドルの回動によって前記シャフトに前記ネットを巻き取りつつ前記カバー内に収容するようにしたことを特徴とする。
【０００８】
また、本発明における請求項２記載のゴミカバー用ネット収納装置は、請求項１記載の発明において、前記カバーは復元性を有するカバーであって、前記シャフトの周囲を包囲すると共に、下部を開放して前記シャフトに巻き取られるネットを通過可能としたことを特徴とする。
【０００９】
さらに、本発明における請求項３記載のゴミカバー用ネット収納装置は、請求項１又は２記載の発明において、前記ゴミカバー用ネットの先端には引出用ロープが結合され、前記シャフトに前記ネットを巻き取った状態で前記ロープが前記カバーの下部開放口から垂れ下がり、このロープの端部を引き出すことによって前記ネットを使用状態に広げることができるようにしたことを特徴とする。
【００１０】
【発明の実施の形態】
以下、本発明の実施例について図面を参照しながら説明する。
【００１１】
本実施例のゴミカバー用ネット収納装置の構成は、図１又は図２に示すように、長尺の横板３の両端に支持板４、４を固設すると共に、これらの両側の支持板４、４に回動自在に設けられた巻取用シャフト５の一端にハンドル６を固設する一方、図３又は図４に示すように、シャフト５の周囲を隠蔽するカバー７、７が着脱自在に設けられ、シャフト５に結合したロープ８（図２又は図４参照）を介してネット１０を連結する（図５参照）と共に、ハンドル６の回動によってシャフト５にネット１０を巻き取りつつ、該ネット１０をカバー７内に収容するようにしたものである。
【００１２】
このような構成についてより詳細に述べると、図１又は図２に示すように、横板３の上部両端には、図５等に示す門型支柱２に設けられた連結片１３、１３にボルト結合すべきボルト穴３ａ、３ａが形成されると共に、この横板３の下部には左右と中央に、後述するカバー７、７を取り付けるための取付穴３ｂ、３ｂ、３ｂが形成されている。
【００１３】
上記の横板３の両端には支持板４、４が固設され、夫々の支持板４、４の内側には図示形状の端面カバー９、９が添え付けられ、これらの支持板４、４及び端面カバー９、９は互いの面を対向すると共に、双方の支持板４、４の下部であって双方の端面カバー９、９のほぼ中央には巻取用シャフト５が回動自在に取り付けられ、該シャフト５の一端にはハンドル６が固設されている。
【００１４】
なお、シャフト５の中央には穿孔５ａが設けられ、この穿孔５ａにロープ８（図２参照）の一端を挿通して結合することにより、シャフト５を回動した際にロープ８が空回りすることを防止するようにしている。
【００１５】
シャフト５の周囲を隠蔽するカバー７、７としては、例えば弾性の合成樹脂製等によって形成された復元性を有するカバーが用いられ、横板３に対して着脱自在に取り付けられている。即ち、図２に示すように、カバー７、７は、シャフト５の外周を半割状の筒形を成して包囲すると共に、カバー７、７間の下方に開放口を形成している。
【００１６】
図１乃至図４に示すように、双方のカバー７、７の上端には立上片７ａ、７ａが形成され、これらの立上片７ａ、７ａを横板３に当てると共に、横板３に設けられた取付穴３ｂ、３ｂ、３ｂと上記の立上片７ａ、７ａに設けられた３個の穴７ｂ、７ｂ、７ｂとの夫々にボルト１１ａを挿通し、ナット１１ｂで締結することにより、カバー７、７を取り外し可能に取り付けてある。
【００１７】
また、図２又は図３に示すように、双方のカバー７、７は下方の両端２箇所に設けられた穿孔部７ｃ、７ｃにボルト１２ａを挿通してナット１２ｂで締結したことにより、端面カバー９の幅による規制を受けた状態でカバー７、７の下方に所定の間隔を開けた下部開放口を有している。
【００１８】
なお、カバー７、７は、上記のように横板３にボルトとナットで締結するほか、合成樹脂製等による固定具を用いて、特別の工具を使用しなくてもワンタッチで着脱自在に取り付けるようにしてもよい。
【００１９】
上記のような構成において、カバー７、７が復元性を有するカバーで形成されたことにより、シャフト５の周りに巻回されたネット１０がカバー７、７を内部から押し出すほどに膨出した場合でも、この膨出に応じてカバー７、７が変形して、シャフト５の周りにネット１０を巻回しつづけることが可能である。また、ネット１０をシャフト５から引き戻した際に、カバー７、７は元の形状に復元する。
【００２０】
図５に示すように、巻取用シャフト５に結合したロープ８を介してネット１０を連結する。図７に示すように、このネット１０の先端には引出用ロープ１０ａが結合され、シャフト５にネット１０を巻き取った状態で引出用ロープ１０ａがカバー７、７の下部開放口から垂れ下がり、このロープ１０ａの端部を引き出すことによってネット１０を使用状態に広げることができる。
【００２１】
上記のネット収納装置１は、図５に示すように、自立可能な門型支柱２に取り付けてある。この門型支柱２は、金属パイプを門型に屈曲すると共に、その両脚部をウエイト１４、１４に固設してあり、夫々のウエイト１４はコンクリートを充填してあって門型支柱２が容易に転倒しない重量を有する。このため、ウエイト１４には両側に取手１５、１５が取り付けられ、移動の際の便宜が図られている。
【００２２】
なお、本発明のネット収納装置１は、上記の門型支柱２のみならず、電柱、ガードレール、立入防護柵、街路灯等の構造物等にも取り付けることができる。
【００２３】
本発明によるゴミカバー用ネット１０の使用時には、カバー７、７の下部開放口から垂下した引出用ロープ１０ａ（図７参照）を引き出すことによってシャフト５に巻き取られたネット１０が引き出され、図５に示すように、このネット１０を集積ゴミに被せておくことによって、収集袋入りのゴミがカラス等の小動物によって散乱するのを防止することができる。
【００２４】
また、ゴミカバー用ネットの非使用時には、図６、図７、図８に示すように、ハンドル６を回動することにより、引出用ロープ１０ａがカバー７、７の下部開放口に垂下した状態になるまでネット１０を巻き取っておけば、このネット１０をカバー７、７内に収納して隠蔽することができ、この状態でネット１０は全く通行の邪魔にならず、美観も良好となる。
【００２５】
また、図８に示すように、上記のようにネット１０を巻き取った際、引出用ロープ１０ａがカバー７、７の下部開放口から垂下した状態にして、ネット１０を次に使用する際の待機状態とし、この引出用ロープ１０ａを引き出しさえすればネット１０が引き出され、使用可能な状態となる。
【００２６】
【発明の効果】
以上説明したように、本発明のゴミカバー用ネット収納装置は、既設物又は自立可能な門型支柱に取り付ける横板の両端に支持板を固設すると共に、これらの両側の支持板に回動自在に設けられた巻取用シャフトの一端にハンドルを固設する一方、シャフトの周囲を隠蔽するカバーが着脱自在に設けられ、シャフトに結合したロープを介してネットを連結すると共に、ハンドルの回動によってシャフトにネットを巻き取りつつカバー内に収容するようにしてあるため、電柱、ガードレール、立入防護柵、街路灯等の構造物等の既設物又は門型支柱に簡単に取り付けることができる。
【００２７】
本発明のネット収納装置において、ゴミカバー用ネットを使用する際には、カバーの下部開放口から垂下した引出用ロープを引き出すことによってシャフトに巻き取られたゴミカバー用ネットが引き出され、このネットを集積ゴミに被せておくことにより、収集袋入りのゴミがカラス等の小動物によって散乱するのを防止することができる。
【００２８】
また、ゴミカバー用ネットの非使用時には、ハンドルを回動することによって引出用ロープがカバーの下部開放口から垂下した状態になるまでゴミカバー用ネットを巻き取っておけば、該ネットをカバー内に収納して隠蔽することができ、このとき、ゴミカバー用ネットは全く通行の邪魔にはならず、美観も良好となる。
【００２９】
また、本発明において、ゴミカバー用ネット収納装置のカバーは復元性を有するカバーであって、これを着脱自在に取り付けてあるため、シャフトの周りにネットを巻き取った際に膨らみが生じてカバーを内部から押圧することがあっても弾力的に変形し、かつネットが引き出された後には復元することができるため、カバーの損傷を防止することができる。また、このようなカバーを取り除くことによって内部の水洗等を容易に行うことが可能となり、清潔な使用を維持することができる。
【図面の簡単な説明】
【図１】本発明のゴミカバー用ネット収納装置の内部構造を示す側面図である。
【図２】本発明のゴミカバー用ネット収納装置においてカバーを取り付ける前の状況を示す端面図である。
【図３】本発明のゴミカバー用ネット収納装置にカバーを取り付けた状況を示す側面図である。
【図４】本発明のゴミカバー用ネット収納装置にカバーを取り付けた状況を示す端面図である。
【図５】本発明のゴミカバー用ネット収納装置におけるネットを使用している状況を示す斜視図である。
【図６】本発明のゴミカバー用ネット収納装置におけるネットを引き上げ始めた状況を示す斜視図である。
【図７】本発明のゴミカバー用ネット収納装置におけるネットを引き上げている状況を示す斜視図である。
【図８】本発明のゴミカバー用ネット収納装置におけるネットを引き上げ終わった状況を示す斜視図である。
【符号の説明】
１…ゴミカバー用ネット収納装置
２…門型支柱
３…横板
３ａ…ボルト穴
３ｂ…取付穴
４…支持板
５…巻取用シャフト
５ａ…穿孔
６…ハンドル
７…カバー
７ａ…立上片
８…ロープ
９…端面カバー
１０…ゴミカバー用ネット
１０ａ…引出用ロープ
１１ａ、１２ａ…ボルト
１１ｂ、１２ｂ…ナット
１３…連結片
１４…ウエイト
１５…取手
【図１】
2004051312.tif 000003
【図２】
2004051312.tif 000004
【図３】
2004051312.tif 000005
【図４】
2004051312.tif 000006
【図５】
2004051312.tif 000007
【図６】
2004051312.tif 000008
【図７】
2004051312.tif 000009
【図８】
2004051312.tif 000010